(57)【要約】【課題】回路遮断器で盤用ファンを自動で効率的に制御して別途温度検出装置や制御装置を設置する必要をなくし、コストを低減し、盤内の有効スペースを拡大することができるようにする。【解決手段】負荷回路に負荷機器４と盤を換気するための盤用ファン５とを接続して成る回路遮断器１において、主電路７を貫通させた変流器９により負荷機器４の消費電流を検出し、検出した消費電流が所定値を越えるとリレー接点１６をオンして盤用ファン５を運転し、検出した消費電流が所定値以下になるとリレー接点１６をオフして盤用ファン５を停止させる。【選択図】図１
2006204074.tif 000002
【特許請求の範囲】
【請求項１】
盤の内部に設けられ、負荷回路に負荷機器と前記盤を換気するための盤用ファンとを接続して成る回路遮断器において、主電路を貫通させた変流器により前記負荷機器の消費電流を検出し、検出した消費電流が所定値を越えるとリレーをオンして前記盤用ファンを運転し、検出した消費電流が所定値以下になると前記リレーをオフして前記盤用ファンを停止することを特徴とする回路遮断器。
【請求項２】
盤の内部に設けられ、負荷回路に負荷機器と前記盤を換気するための盤用ファンとを接続して成る回路遮断器において、主電路を開閉するための操作ハンドルの操作回数で前記盤用ファンの作動時間を設定し、設定に基づいてリレーを駆動し前記盤用ファンを作動させることを特徴とする回路遮断器。
【請求項３】
盤の内部に設けられ、負荷回路に負荷機器と前記盤を換気するための盤用ファンとを接続して成る回路遮断器において、主電路を開閉するための操作ハンドルの操作回数で前記盤用ファンの作動時間を設定し、主電路を貫通させた変流器により前記負荷機器の消費電流を検出し、検出した消費電流が所定値を越えている間だけ前記設定に基づいてリレーを駆動し前記盤用ファンを作動させることを特徴とする回路遮断器。
【発明の詳細な説明】
【技術分野】
【０００１】
本発明は、盤に取り付けられた盤用ファンの作動を制御する回路遮断器に関する。
【背景技術】
【０００２】
従来、盤を換気する方法としては、盤内に取り付けられた温度検出装置で盤内温度を検出し、検出温度が設定温度を超えると盤に取り付けられた盤用ファンを作動させて換気を行うようになっていた。（例えば、特許文献１参照。）
【０００３】
【特許文献１】特開平８−３１７５１７号公報（ｐ．２）
【発明の開示】
【発明が解決しようとする課題】
【０００４】
しかしながら、従来の換気方法は、温度検出装置を盤内に設けなければならないし、温度制御装置の他にも盤用ファンの制御装置が必要であり、盤内の有効スペースが削減されるという欠点があった。
【課題を解決するための手段】
【０００５】
本発明は、盤の内部に設けられ、負荷回路に負荷機器と盤を換気するための盤用ファンとを接続して成る回路遮断器において、主電路を貫通させた変流器により負荷機器の消費電流を検出し、検出した消費電流が所定値を越えるとリレーをオンして盤用ファンを運転し、検出した消費電流が所定値以下になるとリレーをオフして盤用ファンを停止することを特徴とする。
【０００６】
また、盤の内部に設けられ、負荷回路に負荷機器と盤を換気するための盤用ファンとを接続して成る回路遮断器において、主電路を開閉するための操作ハンドルの操作回数で盤用ファンの作動時間を設定し、設定に基づいてリレーを駆動し盤用ファンを作動させることを特徴とする。
【０００７】
また、盤の内部に設けられ、負荷回路に負荷機器と盤を換気するための盤用ファンとを接続して成る回路遮断器において、主電路を開閉するための操作ハンドルの操作回数で盤用ファンの作動時間を設定し、主電路を貫通させた変流器により負荷機器の消費電流を検出し、検出した消費電流が所定値を越えている間だけ設定に基づいてリレーを駆動し盤用ファンを作動させることを特徴とする。
【発明の効果】
【０００８】
請求項１に記載の発明によれば、盤用ファンを異常電流から保護するための回路遮断器で盤用ファンを制御するので別途温度検出装置や制御装置を設置する必要がなく、コストを低減することができ、而も盤内の有効スペースを拡大することができる。また、回路遮断器が負荷機器の作動を検出して負荷機器が作動している間だけ盤用ファンを作動させるので煩雑な設定をしなくても良いし、効率的に換気ができるし、盤用ファンの製品寿命も延ばすことができるという効果がある。
【０００９】
請求項２に記載の発明によれば、盤用ファンを異常電流から保護するための回路遮断器で盤用ファンを制御するので別途温度検出装置や制御装置を設置する必要がなく、コストを低減することができ、而も盤内の有効スペースを拡大することができる。また、回路遮断器に盤用ファンの作動時間設定のためのボタンやツマミを設けなくても良く、安価に製作することができるという効果がある。
【００１０】
請求項３に記載の発明によれば、盤用ファンを異常電流から保護するための回路遮断器で盤用ファンを制御するので別途温度検出装置や制御装置を設置する必要がなく、コストを低減することができ、而も盤内の有効スペースを拡大することができる。また、回路遮断器が負荷機器の作動を検出して負荷機器が作動している間だけ設定に基づいて盤用ファンを作動させるので、効率的に換気ができるし、盤用ファンの製品寿命も延ばすことができる。また、回路遮断器に盤用ファンの作動時間設定のためのボタンやツマミを設けなくても良く、安価に製作することができるという効果がある。
【発明を実施するための最良の形態】
【００１１】
負荷回路に負荷機器と盤を換気するための盤用ファンとを接続して成る回路遮断器において、主電路を貫通させた変流器により負荷機器の消費電流を検出し、検出した消費電流が所定値を越えるとリレーをオンして盤用ファンを運転し、検出した消費電流が所定値以下になるとリレーをオフして盤用ファンを停止させる。
【実施例１】
【００１２】
本発明に係る回路遮断器の実施例１を図１の添付図面に基づいて説明する。
【００１３】
回路遮断器１は、図示しない盤の内部に設けられ、商用電源２に接続される２個の電源側端子３と、負荷機器４及び盤用ファン５が接続される４個の負荷側端子６とを有し、電源側端子３と負荷側端子６間の主電路７に開閉接点８が介在され、異常時に開閉接点８が開路して主電路７を遮断するようになっている。
【００１４】
開閉接点８と負荷側端子６間の主電路７には変流器９が主電路７を貫通させて設けられている。変流器９の出力は電流・電圧変換回路１０に接続され、変流器９によって主電路７に流れる電流を検出し、電流・電圧変換回路１０によって変流器９の検出電流を電圧信号に変換している。
【００１５】
電流・電圧変換回路１０の出力はＡ／Ｄ変換回路１１に接続され、電流・電圧変換回路１０から入力された電圧信号をアナログ信号からデジタル信号に変換している。そして、アナログ信号から変換されたデジタル信号はＭＰＵ１２に入力される。
【００１６】
ＭＰＵ１２は、入力されたデジタル信号を例えば１０ｍｓなどの一定間隔で複数回サンプリングして積算し、この積算値をサンプリング回数で除算して平均化して負荷機器４の消費電流を計算する。そしてメモリ１３に設定された設定電流値を負荷機器４の消費電流値が越えると負荷機器４が作動していると判断し、ＭＰＵ１２は駆動回路１４を制御してリレー回路１５を駆動させるようになっている。
【００１７】
これにより、リレー回路１５は開閉接点８と負荷側端子６間の主電路７に設けられたリレー接点１６を閉成して盤用ファン５を運転し、盤の換気を行う。
【００１８】
また、負荷機器４の消費電流値がメモリ１３に設定された設定電流値以下となると負荷機器４が停止していると判断し、ＭＰＵ１２は駆動回路１４を制御してリレー回路１５を駆動させてリレー接点１６を開成し、盤用ファン５の運転を停止する。
【００１９】
このようにして回路遮断器１は盤用ファン５を制御するので別途温度検出装置や制御装置を設置する必要がなく、コストを低減することができ、而も盤内の有効スペースを拡大することができる。また、回路遮断器１は負荷機器４の消費電流を自動で検出して負荷機器４が作動している間だけ盤用ファン５を作動させるので煩雑な設定をしなくても良いし、効率的に換気ができるし、盤用ファン５の製品寿命も延ばすことができる。
【００２０】
尚、開閉接点８とリレー接点１６の間の主電路７に接続された電源回路１７は各回路に直流電源を供給するためのものである。
【００２１】
また、開閉接点８とリレー接点１６の間の主電路７に設けられたバイメタル１８は主電路７の過電流を検出すると開閉接点８をオフする保護装置であり、回路遮断器１はこのバイメタル１８の他にも主電路７に漏洩電流が流れたときに開閉接点８をオフする漏電保護装置や主電路７に短絡電流が流れたときに開閉接点８をオフする瞬時引き外し装置などの保護装置を搭載しても何ら問題なく、本発明の趣旨を逸脱しない範囲において適宜に変更して実施することが可能である。
【実施例２】
【００２２】
本発明に係る回路遮断器の実施例２を図２及び図３の添付図面に基づいて説明する。
【００２３】
回路遮断器３１は、図示しない盤の内部に設けられ、商用電源３２に接続される２個の電源側端子３３と、負荷機器３４及び盤用ファン３５が接続される３個の負荷側端子３６とを有し、電源側端子３３と負荷側端子３６間の主電路３７に開閉接点３８が介在され、異常時に開閉接点３８が開路して主電路３７を遮断するようになっている。そして、開閉接点３８は操作ハンドル４９を操作することによって開閉できるようになっている。
【００２４】
盤用ファン３５の作動時間は回路遮断器３１の操作ハンドル４９の操作回数によって設定し、ここでは操作ハンドル４９をオンした回数を操作回数とする。操作ハンドル４９の操作回数は主電路３７に流れる電流から計測する。開閉接点３８と負荷側端子３６間の主電路３７には変流器３９が設けられ、変流器３９によって主電路３７に流れる電流を検出し、変流器３９の検出電流は電流・電圧変換回路４０に入力されて電圧信号に変換される。そして、電圧信号はＡ／Ｄ変換回路４１に入力され、アナログ信号からデジタル信号に変換されてＭＰＵ４２に入力される。
【００２５】
ＭＰＵ４２は、入力されたデジタル信号から操作ハンドル４９の操作回数をカウントする。操作回数は操作ハンドル４９を最後に操作してから数秒経過すると設定完了としてリセットされる。メモリ４３には操作回数に対して盤用ファン３５の作動時間が設定され、例えば、操作ハンドル４９を１回オンすると盤用ファン３５が１０分運転と１０分停止を繰り返し、操作ハンドル４９を２回オンすると盤用ファン３５が２０分運転と２０分停止を繰り返すようになっている。
【００２６】
ＭＰＵ４２はこの設定に基づいて駆動回路４４を制御してリレー回路４５を駆動し、開閉接点３８と負荷側端子３６間の主電路３７に設けられたリレー接点４６を開閉して盤用ファン３５の運転・停止を行う。
【００２７】
このようにして回路遮断器３１は盤用ファン３５を制御するので別途温度検出装置や制御装置を設置する必要がなく、コストを低減することができ、而も盤内の有効スペースを拡大することができる。また、効率的に換気ができるし、盤用ファン３５の製品寿命も延ばすことができる。更に、回路遮断器３１に盤用ファン３５の作動時間設定のためのボタンやツマミを設けなくても良く、安価に製作することができる。
【００２８】
尚、開閉接点３８とリレー接点４６の間の主電路３７に接続された電源回路４７は各回路に直流電源を供給するためのものである。
【００２９】
また、開閉接点３８とリレー接点４６の間の主電路３７に設けられたバイメタル４８は主電路３７の過電流を検出すると開閉接点３８をオフする保護装置であり、回路遮断器３１はこのバイメタル４８の他にも主電路３７に漏洩電流が流れたときに開閉接点３８をオフする漏電保護装置や主電路３７に短絡電流が流れたときに開閉接点３８をオフする瞬時引き外し装置などの保護装置を搭載しても何ら問題なく、本発明の趣旨を逸脱しない範囲において適宜に変更して実施することが可能である。
【００３０】
また、盤に複数の盤用ファンが設けられる場合、実施例１の回路遮断器と実施例２の回路遮断器を組み合わせて夫々の盤用ファンを制御することも勿論可能である。
【実施例３】
【００３１】
本発明に係る回路遮断器の実施例３を図４及び図５の添付図面に基づいて説明する。
【００３２】
回路遮断器５１は、図示しない盤の内部に設けられ、商用電源５２に接続される２個の電源側端子５３と、負荷機器５４及び盤用ファン５５が接続される３個の負荷側端子５６とを有し、電源側端子５３と負荷側端子５６間の主電路５７に開閉接点５８が介在され、異常時に開閉接点５８が開路して主電路５７を遮断するようになっている。そして、開閉接点５８は操作ハンドル６９を操作することによって開閉できるようになっている。
【００３３】
盤用ファン５５の作動時間は回路遮断器５１の操作ハンドル６９の操作回数によって設定し、ここでは操作ハンドル６９をオンした回数を操作回数とする。操作ハンドル６９の操作回数は主電路５７に流れる電流から計測する。開閉接点５８と負荷側端子５６間の主電路５７には変流器５９が設けられ、変流器５９によって主電路５７に流れる電流を検出し、変流器５９の検出電流は電流・電圧変換回路６０に入力されて電圧信号に変換される。そして、電圧信号はＡ／Ｄ変換回路６１に入力され、アナログ信号からデジタル信号に変換されてＭＰＵ６２に入力される。
【００３４】
ＭＰＵ６２は、入力されたデジタル信号から操作ハンドル６９の操作回数をカウントする。操作回数は操作ハンドル６９を最後に操作してから数秒経過すると設定完了としてリセットされる。メモリ６３には操作回数に対して盤用ファン５５の作動時間が設定され、例えば、操作ハンドル６９を１回オンすると盤用ファン５５が１０分運転と１０分停止を繰り返し、操作ハンドル６９を２回オンすると盤用ファン５５が２０分運転と２０分停止を繰り返すようになっている。
【００３５】
また、ＭＰＵ６２は、入力されたデジタル信号を例えば１０ｍｓなどの一定間隔で複数回サンプリングして積算し、この積算値をサンプリング回数で除算して平均化して負荷機器５４の消費電流を計算している。そしてメモリ６３に設定された設定電流値を負荷機器５４の消費電流値が越えると負荷機器５４が作動していると判断し、ＭＰＵ６２は操作ハンドル６９の操作回数により設定された作動時間に基づいて駆動回路６４を制御してリレー回路６５を駆動し、リレー回路６５は開閉接点５８と負荷側端子５６間の主電路５７に設けられたリレー接点６６を開閉して盤用ファン５５の運転・停止を行い、盤の換気を行う。
【００３６】
そして、負荷機器５４の消費電流値がメモリ６３に設定された設定電流値以下となると負荷機器５４が停止していると判断し、ＭＰＵ６２は操作ハンドル６９により設定された作動時間に関係なく駆動回路６４を制御してリレー回路６５を駆動させてリレー接点６６を開成し、盤用ファン５５の運転を停止する。
【００３７】
このようにして回路遮断器５１は盤用ファン５５を制御するので別途温度検出装置や制御装置を設置する必要がなく、コストを低減することができ、而も盤内の有効スペースを拡大することができる。また、回路遮断器５１は負荷機器５４の消費電流を自動で検出して負荷機器５４が作動している間だけ設定に基づいて盤用ファン５５を作動させるので効率的に換気ができるし、盤用ファン５５の製品寿命も延ばすことができる。更に、回路遮断器５１に盤用ファン５５の作動時間設定のためのボタンやツマミを設けなくても良く、安価に製作することができる。
【００３８】
尚、開閉接点５８とリレー接点６６の間の主電路５７に接続された電源回路６７は各回路に直流電源を供給するためのものである。
【００３９】
また、開閉接点５８とリレー接点６６の間の主電路５７に設けられたバイメタル６８は主電路５７の過電流を検出すると開閉接点５８をオフする保護装置であり、回路遮断器５１はこのバイメタル６８の他にも主電路５７に漏洩電流が流れたときに開閉接点５８をオフする漏電保護装置や主電路５７に短絡電流が流れたときに開閉接点５８をオフする瞬時引き外し装置などの保護装置を搭載しても何ら問題なく、本発明の趣旨を逸脱しない範囲において適宜に変更して実施することが可能である。
【００４０】
また、盤に複数の盤用ファンが設けられる場合、実施例１の回路遮断器と実施例２の回路遮断器と実施例３の回路遮断器を自由に組み合わせて夫々の盤用ファンを制御することも勿論可能である。
【図面の簡単な説明】
【００４１】
【図１】本発明の実施例１に係る回路遮断器のブロック図である。
【図２】本発明の実施例２に係る回路遮断器のブロック図である。
【図３】本発明の実施例２に係る回路遮断器の正面図である。
【図４】本発明の実施例３に係る回路遮断器のブロック図である。
【図５】本発明の実施例３に係る回路遮断器の正面図である。
【符号の説明】
【００４２】
１    回路遮断器
４    負荷機器
５    盤用ファン
６    負荷側端子
７    主電路
９    変流器
１０    電流・電圧変換回路
１１    Ａ／Ｄ変換回路
１２    ＭＰＵ
１３    メモリ
１４    駆動回路
１５    リレー回路
１６    リレー接点
【図１】
2006204074.tif 000003
【図２】
2006204074.tif 000004
【図３】
2006204074.tif 000005
【図４】
2006204074.tif 000006
【図５】
2006204074.tif 000007